【手続補正書】
【提出日】平成16年8月9日(2004.8.9)
【手続補正１】
【補正対象書類名】明細書
【補正対象項目名】特許請求の範囲
【補正方法】変更
【補正の内容】
【特許請求の範囲】
【請求項１】
植木鉢の支柱構造であって、
各々の軸方向に対して直角方向の断面の位置がほぼ正方形の四隅に位置し、且つ各々の軸方向が互いにほぼ平行となるように配置された４本の支柱と、
前記支柱の各々の軸方向に対してほぼ直角をなす平面と前記支柱の各々との交点の位置において前記支柱の各々に固定された接続ピースと、
前記接続ピースの各々の両端部に対して回動自在に接続され、隣接する前記支柱の各々を相互に連結する連結棒とを備え、
前記接続ピースは、
前記支柱の各々の先端に位置する第１接続ピースと、
前記支柱の各々の中間に位置する第２接続ピースと、
前記支柱の各々の後端側に位置する第３接続ピースとからなり、
前記第１接続ピース、前記第２接続ピース及び前記第３接続ピースの各々は、
前記支柱に固定するための固定手段と、
前記固定手段に一体的に接続され、前記支柱に沿うように曲げられた棒形状の支持体と、
前記支持体の両端側に取り付けられた突起体とからなり、
前記連結棒は、
前記第１接続ピースの各々に対して接続される第１連結棒と、
前記第２接続ピースの各々に対して接続される第２連結棒と、
前記第３接続ピースの各々に対して接続される第３連結棒とからなり、
前記第１連結棒、前記第２連結棒及び前記第３連結棒の各々は、
棒形状を有する棒状体と、
前記棒状体の両端に接続され、対応する前記突起体の各々に脱着自在に嵌合し、前記突起体の各々の軸方向を中心として回動自在となるリング体とからなり、
前記第１接続ピースの前記支持体の軸方向長さは前記第２接続ピースの前記支持体の軸方向長さより大きく、前記第２接続ピースの前記支持体の軸方向長さは前記第３接続ピースの前記支持体の軸方向長さより大きく設定されており、
前記第１連結棒の前記棒状体の軸方向長さ、前記第２連結棒の前記棒状体の軸方向長さ及び前記第３連結棒の前記棒状体の軸方向長さは各々等しい、植木鉢の支柱構造。
【請求項２】
前記固定手段は、前記支柱の各々の先端に脱着自在に被せることができるキャップを含む、請求項１記載の植木鉢の支柱構造。
【請求項３】
前記固定手段は、前記支柱の各々の中間位置に脱着自在に取り付けることができる、平面視Ｕ字形状のバンド状の固定部材を含む、請求項１記載の植木鉢の支柱構造。
【手続補正２】
【補正対象書類名】明細書
【補正対象項目名】０００７
【補正方法】変更
【補正の内容】
【０００７】
【課題を解決するための手段】
上記の目的を達成するために、請求項１記載の発明は、植木鉢の支柱構造であって、各々の軸方向に対して直角方向の断面の位置がほぼ正方形の四隅に位置し、且つ各々の軸方向が互いにほぼ平行となるように配置された４本の支柱と、支柱の各々の軸方向に対してほぼ直角をなす平面と、支柱の各々との交点の位置において支柱の各々に固定された接続ピースと、接続ピースの各々の両端部に対して回動自在に接続され、隣接する支柱の各々を相互に連結する連結棒とを備え、接続ピースは、支柱の各々の先端に位置する第１接続ピースと、支柱の各々の中間に位置する第２接続ピースと、支柱の各々の後端側に位置する第３接続ピースとからなり、第１接続ピース、第２接続ピース及び第３接続ピースの各々は、支柱に固定するための固定手段と、固定手段に一体的に接続され、支柱に沿うように曲げられた棒形状の支持体と、支持体の両端側に取り付けられた突起体とからなり、連結棒は、第１接続ピースの各々に対して接続される第１連結棒と、第２接続ピースの各々に対して接続される第２連結棒と、第３接続ピースの各々に対して接続される第３連結棒とからなり、第１連結棒、第２連結棒及び第３連結棒の各々は、棒形状を有する棒状体と、棒状体の両端に接続され、対応する突起体の各々に脱着自在に嵌合し、突起体の各々の軸方向を中心として回動自在となるリング体とからなり、第１接続ピースの支持体の軸方向長さは第２接続ピースの支持体の軸方向長さより大きく、第２接続ピースの支持体の軸方向長さは第３接続ピースの支持体の軸方向長さより大きく設定されており、第１連結棒の棒状体の軸方向長さ、第２連結棒の棒状体の軸方向長さ及び第３連結棒の棒状体の軸方向長さは各々等しいものである。
【手続補正３】
【補正対象書類名】明細書
【補正対象項目名】０００８
【補正方法】変更
【補正の内容】
【０００８】
このように構成すると、支柱の各々は３ヶ所で相互に連結されるとともに、対向する支柱同士をそれらの軸方向において互いに反対方向に力を加えると、それらは接近しながら軸方向に相対的に移動する。又、接続ピースに対して連結棒が脱着自在に取り付けられるとともに、展開時の各支柱の間隔は後端から先端に向かうにつれて広がる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
請求項２記載の発明は、請求項１記載の発明の構成において、固定手段は、支柱の各々の先端に脱着自在に被せることができるキャップを含むものである。
【手続補正９】
【補正対象書類名】明細書
【補正対象項目名】００１５
【補正方法】変更
【補正の内容】
【００１５】
請求項３記載の発明は、請求項１記載の発明の構成において、固定手段は、支柱の各々の中間位置に脱着自在に取り付けることができる平面視Ｕ字形状のバンド状の固定部材を含むものである。
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】変更
【補正の内容】
【００１９】
【発明の効果】
以上説明したように、請求項１記載の発明は、支柱の各々が互いに接近し、且つそれらの上を連結棒の各々が沿った状態に折り畳むことが可能となる。これによって不使用時に占める容積がコンパクトになり、保管、移送等を効率的に行なうことができる。又、支柱の各々は３ヶ所で相互に連結されるため、安定した使用状態が確保されるとともに、不使用時の折り畳みの際の形状変化を阻害することはない。更に、接続ピースに対して連結棒が脱着自在に取り付けられるため、まず接続ピースを支柱に取り付けた後連結棒を取り付ければよい。そのため支柱構造の全体の組立てが容易となる。更に、展開時の各支柱の間隔は後端から先端に向かうにつれて広がるため、使用時の外観印象が向上する。
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】変更
【補正の内容】
【００２１】
請求項２記載の発明は、請求項１記載の発明の効果に加えて、支柱の先端部同士が連結されるため、支柱構造の全体が安定する。
【手続補正１５】
【補正対象書類名】明細書
【補正対象項目名】００２２
【補正方法】変更
【補正の内容】
【００２２】
請求項３記載の発明は、請求項１記載の発明の効果に加えて、固定部材は支柱の軸方向に対して直角方向から取付けることができるため、支柱全体の組立てが容易となる。
【手続補正１６】
【補正対象書類名】明細書
【補正対象項目名】００２３
【補正方法】削除
【補正の内容】
【手続補正１７】
【補正対象書類名】明細書
【補正対象項目名】００４８
【補正方法】削除
【補正の内容】